(57)【要約】      （修正有）【課題】腕袋に形状保持部材を備え、腕袋の自重による垂下を抑制した腕吊り具を提供する。【解決手段】袋状に成形された腕袋２と、両端を腕袋２の上縁部６に所定の間隔を隔てて取り付けたベルト３とを備える腕吊り具において、腕袋２は、前縁下部４から後縁上部５にかけて連続して開口し、開口は、前縁下部４から上縁部６に向けて曲線状に形成され、上縁部６から後縁上部５にかけては略直線状に形成され、ベルト３は一端を上縁部６に、他端を後縁上部５に所定の間隔をもって取り付けられ、形状保持部材１０は、開口した腕袋２の前縁下部４から後縁上部５にかけて縁部からやや内側に取り付けられる。【選択図】図１
0003225699.tif 000002
【実用新案登録請求の範囲】
【請求項１】
袋状に成形された腕袋と、両端を前記腕袋の上縁部に所定の間隔を隔てて取り付けたベルトと、を備える腕吊り具において、
前記腕袋は、前縁下部から後縁上部にかけて連続して開口し、開口は、前記前縁下部から上縁部に向けて曲線状に形成され、前記上縁部から前記後縁上部にかけては略直線状に形成され、前記ベルトは一端を前記上縁部に、他端を前記後縁上部に所定の間隔を隔てて取り付けられ、形状保持部材は、開口した前記腕袋の前記前縁下部から前記後縁上部にかけて縁部からやや内側に取り付けられることを特徴とする腕吊り具。
【考案の詳細な説明】
【技術分野】
【０００１】
本考案は、形態安定性を有する腕袋を備えた腕吊り具に関するものである。
【背景技術】
【０００２】
従来は、骨折などの傷病において腕を吊る場合には汎用性がある三角巾を用いていたが、近年は、前腕部を支持する腕袋と、当該腕袋を肩から吊り下げるベルトを備えた、実開平５−３９５２０号公報で公開されているような腕吊り具が開発されている。このような腕吊り具は、ベルトの折り返し幅を適宜変更することで、吊った腕の高さを調節することができるという利点がある。
【先行技術文献】
【特許文献】
【０００３】
【特許文献１】実開平５−３９５２０号公報
【考案の概要】
【考案が解決しようとする課題】
【０００４】
腕袋を備えた腕吊り具の素材は多岐にわたるが、一般的に、 腕袋は柔軟性や伸縮性を有している。 腕袋の柔軟性は、一方では、腕の太さや長さに適した腕袋の形状の自在性を実現するものの、他方では、 腕袋の自重による垂下により、 腕袋の取り扱いに大きな身体的負担がかかる場合がある。
【０００５】
そこで、本考案は、 腕袋に形状保持部材を備え、 腕袋の自重による垂下を抑制した腕吊り具を提供することを目的とする。
【課題を解決するための手段】
【０００６】
本考案の腕吊り具は、前記した目的を達成せんとするもので、請求項１の手段は、袋状に成形された腕袋と、両端を前記腕袋の上縁部に所定の間隔を隔てて取り付けたベルトと、を備える腕吊り具において、前記腕袋は、前縁下部から後縁上部にかけて連続して開口し、開口は、前記前縁下部から上縁部に向けて曲線状に形成され、前記上縁部から前記後縁上部にかけては略直線状に形成され、前記ベルトは一端を前記上縁部に、他端を前記後縁上部に所定の間隔をもって取り付けられ、形状保持部材は、開口した前記腕袋の前記前縁下部から前記後縁上部にかけて縁部からやや内側に取り付けられることを特徴とする。
【考案の効果】
【０００７】
請求項１の構成を備える本考案の腕吊り具は、形状保持部材の剛性によって腕袋の自重による垂下が抑制され、ベルトのベルトカンへの挿通、長さの調整および位置決めが容易であり、全体として、腕への装着が容易な形状を保持することができる。
【図面の簡単な説明】
【０００８】
【図１】本考案の腕吊り具の全体図である。
【図２】本考案の腕吊り具から形状保持部材を除いた状態を示す全体図である。
【図３】本考案の腕吊り具に用いる形状保持部材の斜視図である。
【考案を実施するための形態】
【０００９】
以下、本考案を実施するための形態を図面とともに説明する。
【実施例１】
【００１０】
図１は、本考案の腕吊り具１の全体図である。腕吊り具１は、袋状に成形された腕袋２とベルト３とを備える。腕袋２の前縁下部４から後縁上部５にかけて連続して開口し、開口は、前縁下部４から上縁部６に向けて曲線状に形成され、上縁部６から後縁上部５にかけては略直線状に形成される。ベルト３は、一端を上縁部６に、他端を後縁上部５に所定の間隔をもって取り付けられる。開口して両側に分かれた腕袋２の上縁部６には、ベルト３が挿通可能なベルトカン７が設けられる。ベルトカン７に挿通されたベルト３の端部には面ファスナー８および９が設けられ、折り返されたベルト３の端部がベルト３の中間部の所望の位置に止着する構成となっている。形状保持部材１０は、開口した腕袋２の前縁下部４から後縁上部５にかけて縁部からやや内側に取り付けられる。
【００１１】
本実施例の形状保持部材１０は、腕吊り具１の外観には現れず、図１においては破線で示している。形状保持部材１０を備えた腕吊り具１は、腕袋２の材質に関わらず、自重による垂下が抑制され、立体的な形状を保持することができる。
【００１２】
本実施例の腕袋２は、可撓性および伸縮性のある素材で構成され、素材としては、綿やウールをはじめとする天然の生地およびナイロンやポリウレタンの化学合成繊維にゴムを混紡した編布、織布または不織布といった布地、または、メッシュ状やスポンジ状に形成された伸縮性や通気性を有する合成樹脂体が好適であり、これらを組み合わせても良い。
【００１３】
また、本実施例のベルト３は、端部から中間部にかけて面ファスナー８および９が取り付けられており、フック状の面ファスナー８とループ状の面ファスナー９と接合して止着する。面ファスナー８および９は、それぞれ適切な長さでベルト３に取り付けられており、ベルト３の挿通、長さの調整および位置決めが容易である。
【００１４】
図２は、腕吊り具１から形状保持部材１０を除いた状態を示す全体図である。自重によって垂下した腕吊り具１は、使用者の疾患によっては、取扱いが困難になることがある。形状を保持した腕吊り具１であれば腕袋２に手が届きやすく、前回と同じ部位に装着することが容易である。本考案の腕吊り具１は、形状保持部材１０の剛性によって腕袋２の自重による垂下が抑制され、全体として、腕への装着が容易な形状を保持することができる。
【００１５】
本実施例の形状保持部材１０は、糸状または帯状塑性変形性のポリエチレン材料が好適である。ポリエチレン材料であれば、軽量であり、安全性が高い。ここでいうポリエチレン材料は、ポリエチレン単独、または、ポリエチレンに他のポリオレフィンが混合された混合物であり、原料としては、汎用ポリエチレンでも、超高分子量ポリエチレンでもよい。本考案の腕吊り具１に用いる形状保持部材１０は、三井化学株式会社によって商標名“テクノロート”で市販されている線材を用いることができる。
【００１６】
図３に示す形状保持部材１０の斜視図は、形状保持部材１０の一例であり、フィルム１０ａで保護された糸状のプラスチック線材１０ｂを表し、プラスチック線材１０ｂが形状保持機能を備えている。形状保持部材１０の腕袋２への取り付けは、フィルム１０ａを活かして縫合しても良いし、フィルム１０ａを除去してプラスチック線材１０ｂを繊維間に織り込んでも良い。
【００１７】
以上、本考案の代表的と思われる実施例について説明したが、本考案は必ずしも実施例において述べた構造に限定されるものではなく、本考案にいう構成要件を備え、本考案にいう目的を達成しうる範囲内において適宜改変して実施する場合を包含するものである。
【産業上の利用可能性】
【００１８】
ポリエチレンを代表とする材料を形状保持部材として利用した本考案の腕吊り具は、装着が容易であり、高齢者、あるいはリハビリを必要とする被介護者が無理なく簡単に装着できる医療用装具として有用である。医療用装具に形状保持部材を取り付けるといった技術的思想は、包帯または被覆用品全般に応用可能である。
【符号の説明】
【００１９】
１…腕吊り具。
２…腕袋。
３…ベルト。
４…前縁下部。
５…後縁上部。
６…上縁部
７…ベルトカン。
８…面ファスナー。
９…面ファスナー。
１０…形状保持部材、１０ａ…フィルム、１０ｂ…プラスチック線材。
【図１】
0003225699.tif 000003
【図２】
0003225699.tif 000004
【図３】
0003225699.tif 000005